(57)【要約】【課題】セルラシステムのエリア内に無線ＬＡＮシステムのエリアがあるときに、移動局装置のユーザがシームレスな通信を可能とすること。【解決手段】サーバ１９１は、インターネット１９２を介し、基本データおよび補完データからなる映像情報をルータ１００に送信する。ルータ１００は、基本データをセルラシステム１９３のＢＳ１１０に、補完データを無線ＬＡＮシステム１９４のＡＰ１２０に振り分ける。ＢＳ１１０は、基本データをＭＳ１５０に送信し、ＡＰ１２０は、補完データをＭＳ１５０に送信する。ＭＳ１５０は、セルラシステム１９３のエリア内にいる場合は、常にＢＳ１１０と通信チャネルを維持し、無線ＬＡＮシステム１９４のエリア内に入った場合は、ＢＳ１１０とのチャネルは維持したまま、状況に応じさらにＡＰ１２０とのチャネルも開通する。【選択図】　　　図１
2004128579.tif 000002
【特許請求の範囲】
【請求項１】
第１送信系統および第２送信系統を有し、前記第１送信系統の送信対象エリア内に前記第２送信系統の送信対象エリアが含まれる無線送信システムであって、
送信対象であるデータが、所定の品質を満たす第１データと前記第１データを補完する第２データとからなる場合に、前記第１データを前記第１送信系統に振り分け、前記第２データを前記第２送信系統に振り分ける振り分け手段、
を有することを特徴とする無線送信システム。
【請求項２】
前記送信対象であるデータが動画データであって、
前記第１データは、１つの送信フレームに含まれるデータのみで１枚の画像を形成する画像データであり、
前記第２データは、前後の前記画像データの差分画像データである、
ことを特徴とする請求項１記載の無線送信システム。
【請求項３】
前記第１データは、前記所定の品質を満たす解像度の低い映像データであり、
前記第２データは、前記解像度の低い映像データの解像度を高める映像データである、
ことを特徴とする請求項１記載の無線送信システム。
【請求項４】
前記第１データは、リアルタイムのデータであり、
前記第２データは、前記リアルタイムのデータを受信側が受信した際の誤りデータに対する再送データである、
ことを特徴とする請求項１記載の無線送信システム。
【請求項５】
第１送信系統および第２送信系統を有し、前記第１送信系統の送信対象エリア内に前記第２送信系統の送信対象エリアが含まれる無線送信システムであって、
前記第１送信系統から実際に送信されたデータのデータレートを取得する第１取得手段と、
前記第２送信系統から実際に送信されたデータのデータレートを取得する第２取得手段と、
前記第１取得手段によって取得されたデータレートおよび前記第２取得手段によって取得されたデータレートに基づいて送信対象であるデータを前記第１送信系統および前記第２送信系統に振り分ける振り分け手段と、
を有することを特徴とする無線送信システム。
【請求項６】
前記第１送信系統は、セルラ方式を用いることを特徴とする請求項１から請求項５のいずれかに記載の無線送信システム。
【請求項７】
前記第２送信系統は、無線ＬＡＮ方式を用いることを特徴とする請求項１から請求項５のいずれかに記載の無線送信システム。
【請求項８】
請求項１記載の無線送信システムの中では、前記第１送信系統から送信された前記第１データを常に受信し続けることを特徴とする通信端末装置。
【請求項９】
前記第２送信系統の送信対象エリア内にいる場合に前記第２送信系統のチャネル容量を検出する検出手段と、
検出されたチャネル容量に基づいて前記第２送信系統に対しデータの送信要求を行う要求手段と、
を有することを特徴とする請求項８記載の通信端末装置。
【請求項１０】
第１送信ステップと、
前記第１送信ステップの送信対象エリア内に自ステップの送信対象エリアが含まれる第２送信ステップと、
送信対象であるデータが、所定の品質を満たす第１データと前記第１データを補完する第２データとからなる場合に、前記第１データを前記第１送信ステップに振り分け、前記第２データを前記第２送信ステップに振り分ける振り分けステップと、
を有することを特徴とする無線送信方法。
【請求項１１】
第１送信ステップと、
前記第１送信ステップの送信対象エリア内に自ステップの送信対象エリアが含まれる第２送信ステップと、
前記第１送信ステップによって実際に送信されたデータのデータレートを取得する第１取得ステップと、
前記第２送信ステップによって実際に送信されたデータのデータレートを取得する第２取得ステップと、
前記第１取得ステップによって取得されたデータレートおよび前記第２取得ステップによって取得されたデータレートに基づいて送信対象であるデータを前記第１送信ステップおよび前記第２送信ステップに振り分ける振り分けステップと、
を有することを特徴とする無線送信方法。
【発明の詳細な説明】
【０００１】
【発明の属する技術分野】
本発明は、セルラシステムや無線ＬＡＮシステム等を適用した無線送信システムおよび通信端末装置に関する。
【０００２】
【従来の技術】
将来の第４世代の移動体通信システムにおいては、データの伝送レートは低いが広いエリアをカバーするセルラシステムと、データ伝送レートは高いが狭いエリア（ホットスポットエリア）をカバーする無線ＬＡＮシステムの両システム間を移動局が自由にハンドオーバするようなシステムが主流となる。
【０００３】
このようなシステムでは、移動局はなるべく高いデータレートで通信を行うことができるように無線ＬＡＮエリアの内部では無線ＬＡＮシステムに接続し、無線ＬＡＮエリア外ではセルラシステムに接続する。また、できるだけ送信出力の低い相手局と通信できるように、この相手局がいるシステムに対し優先的に接続するような構成もある（例えば、特許文献１参照）。
【０００４】
【特許文献１】
特開２００２−１４１８５７号公報
【０００５】
【発明が解決しようとする課題】
しかしながら、従来の装置においては、無線ＬＡＮエリアの端付近に位置する移動局においてハンドオーバ処理が頻発し、また、エリアの端を通過する移動局は、ハンドオーバ処理が発生することによりデータ伝送に遅延が生じるという問題がある。また、移動局が無線ＬＡＮのエリア内からエリア外に移動する際には、エリア外にあるセルラシステムの回線容量に余裕がない場合、無線ＬＡＮのエリア外に出た瞬間に受信映像の配信が途切れてしまうという問題もある。
【０００６】
本発明は、かかる点に鑑みてなされたものであり、移動局が無線ＬＡＮエリアの端付近に位置してもハンドオーバ処理が頻発しないようにし、また、移動局がエリアの端を通過する場合にもデータ伝送に遅延が生じないようにし、さらに、無線ＬＡＮのエリア外に出た瞬間に受信映像の配信が途切れてしまうことを防止することにより、ユーザが通信をシームレスに行うことができる無線送信システムおよび通信端末装置を提供することを目的とする。
【０００７】
【課題を解決するための手段】
本発明の無線送信システムは、第１送信系統および第２送信系統を有し、前記第１送信系統の送信対象エリア内に前記第２送信系統の送信対象エリアが含まれる無線送信システムであって、送信対象であるデータが、所定の品質を満たす第１データと前記第１データを補完する第２データとからなる場合に、前記第１データを前記第１送信系統に振り分け、前記第２データを前記第２送信系統に振り分ける振り分け手段を有する構成を採る。
【０００８】
本発明の無線送信システムは、上記の構成において、前記送信対象であるデータが動画データであって、前記第１データは、１つの送信フレームに含まれるデータのみで１枚の画像を形成する画像データであり、前記第２データは、前後の前記画像データの差分画像データである構成を採る。
【０００９】
本発明の無線送信システムは、上記の構成において、前記第１データは、前記所定の品質を満たす解像度の低い映像データであり、前記第２データは、前記解像度の低い映像データの解像度を高める映像データである構成を採る。
【００１０】
本発明の無線送信システムは、上記の構成において、前記第１データは、リアルタイムのデータであり、前記第２データは、前記リアルタイムのデータを受信側が受信した際の誤りデータに対する再送データである構成を採る。
【００１１】
これらの構成によれば、例えば、広いエリアをカバーするセルラシステムのような第１システム（第１送信系統）のエリア内に、狭いエリアをカバーする無線ＬＡＮシステムのような第２システム（第２送信系統）のエリアがある場合に、移動局装置は、第１システムから常に所定の品質以上のデータを受信し続けることができるので、第２システムのエリア内に入ったときにこのシステムにハンドオーバをすることができなくても、通信が途切れることを防止することができる。換言すれば、移動局装置が、第２システムのエリアの端付近に位置してもハンドオーバ処理が頻発することはなく、また、移動局装置がエリアの端を通過する場合にもデータ伝送に遅延が生じない。さらに、第２システムのエリア外に出た瞬間に通信が途切れてしまうことを防止することにより、移動局装置のユーザは通信をシームレスに行うことができる。
【００１２】
本発明の無線送信システムは、第１送信系統および第２送信系統を有し、前記第１送信系統の送信対象エリア内に前記第２送信系統の送信対象エリアが含まれる無線送信システムであって、前記第１送信系統から実際に送信されたデータのデータレートを取得する第１取得手段と、前記第２送信系統から実際に送信されたデータのデータレートを取得する第２取得手段と、前記第１取得手段によって取得されたデータレートおよび前記第２取得手段によって取得されたデータレートに基づいて送信対象であるデータを前記第１送信系統および前記第２送信系統に振り分ける振り分け手段と、を有する構成を採る。
【００１３】
この構成によれば、２つの送信系統の送信データレートを過去の実績に基づいて調整するため、一方の送信系統においてのみデータが停滞することを回避することができる。
【００１４】
本発明の無線送信システムは、上記いずれかに記載の無線送信システムにおいて、前記第１送信系統は、セルラ方式を用いる構成を採る。
【００１５】
この構成によれば、本発明をセルラシステムに適用することができる。
【００１６】
本発明の無線送信システムは、上記いずれかに記載の無線送信システムにおいて、前記第２送信系統は、無線ＬＡＮ方式を用いる構成を採る。
【００１７】
この構成によれば、本発明を無線ＬＡＮシステムに適用することができる。
【００１８】
本発明の通信端末装置は、上記記載の無線送信システムの中では、前記第１送信系統から送信された前記第１データを常に受信し続ける構成を採る。
【００１９】
この構成によれば、第１送信系統から常に所定の品質以上のデータを受信し続けるので、第２送信系統のエリアにおいても通信が途切れることを防止することができる。
【００２０】
本発明の通信端末装置は、上記の構成において、前記第２送信系統の送信対象エリア内にいる場合に前記第２送信系統のチャネル容量を検出する検出手段と、検出されたチャネル容量に基づいて前記第２送信系統に対しデータの送信要求を行う要求手段と、を有する構成を採る。
【００２１】
この構成によれば、第２システム（第２送信系統）のチャネル容量に余裕があるときだけ自動的にこのシステムに接続するので、移動局装置のユーザは、自らが第２システムのエリアに入ったことを意識することなく、シームレスにサービスの提供を受けることができる。
【００２２】
本発明の無線送信方法は、第１送信ステップと、前記第１送信ステップの送信対象エリア内に自ステップの送信対象エリアが含まれる第２送信ステップと、送信対象であるデータが、所定の品質を満たす第１データと前記第１データを補完する第２データとからなる場合に、前記第１データを前記第１送信ステップに振り分け、前記第２データを前記第２送信ステップに振り分ける振り分けステップと、を有するようにした。
【００２３】
この方法によれば、例えば、広いエリアをカバーするセルラシステムのような第１システムのエリア（第１送信ステップの送信対象エリア）内に、狭いエリアをカバーする無線ＬＡＮシステムのような第２システムのエリア（第２送信ステップの送信対象エリア）がある場合に、移動局装置は、第１システムから常に所定の品質以上のデータを受信し続けることができるので、第２システムのエリア内に移動したときにこのシステムにハンドオーバをすることができなくても、通信が途切れることを防止することができる。
【００２４】
本発明の無線送信方法は、第１送信ステップと、前記第１送信ステップの送信対象エリア内に自ステップの送信対象エリアが含まれる第２送信ステップと、前記第１送信ステップによって実際に送信されたデータのデータレートを取得する第１取得ステップと、前記第２送信ステップによって実際に送信されたデータのデータレートを取得する第２取得ステップと、前記第１取得ステップによって取得されたデータレートおよび前記第２取得ステップによって取得されたデータレートに基づいて送信対象であるデータを前記第１送信ステップおよび前記第２送信ステップに振り分ける振り分けステップと、を有するようにした。
【００２５】
この方法によれば、２つの送信系統の送信データレートを過去の実績に基づいて調整するため、一方の送信系統においてのみデータが停滞することを回避することができる。
【００２６】
【発明の実施の形態】
本発明の骨子は、セルラシステムのエリア内に無線ＬＡＮシステムのエリアが含まれているような無線通信システムにおいて、セルラシステム内にいるときは常に、すなわち、無線ＬＡＮシステムのエリア内にいても、セルラシステムとのチャネルを常に保持することである。
【００２７】
以下、本発明の実施の形態について、図面を参照して詳細に説明する。
【００２８】
（実施の形態１）
図１は、本発明の実施の形態１に係る無線送信システムの概要を示す図である。なお、ここでは、サーバから送信されてくる映像情報を移動局装置（通信端末装置）に対し送信する場合を例にとって説明する。
【００２９】
図１に示す無線送信システムは、サーバ１９１、インターネット１９２、セルラシステム１９３、無線ＬＡＮシステム１９４を有する。そして、セルラシステム１９３はルータ１００および基地局装置（ＢＳ）１１０を有し、無線ＬＡＮシステム１９４はアクセスポイント装置（ＡＰ）１２０を有する。無線ＬＡＮシステム１９４のエリアは、セルラシステム１９３のエリア内に存在する。
【００３０】
この図において、移動局装置（ＭＳ）１５０は、無線ＬＡＮシステム１９４のエリアの中にいる。サーバ１９１は、インターネット１９２を介し、映像情報をルータ１００に送信する。この映像情報は、解像度は低いがそれのみで１枚の画面を構成できる基本データと、基本データを補完するデータであって、この基本データと合成することにより、より解像度の高い映像を得ることができる補完データとから構成される。ルータ１００は、サーバ１９１から送信されてきたこの映像情報のうち、基本データをセルラシステム１９３のＢＳ１１０に、補完データを無線ＬＡＮシステム１９４のＡＰ１２０に振り分け、送信する。そして、ＢＳ１１０は、無線信号Ｓ１を用いて基本データをＭＳ１５０に送信し、ＡＰ１２０は、無線信号Ｓ２を用いて補完データをＭＳ１５０に送信する。ＭＳ１５０は、受信系統を２つ有し、セルラシステム１９３のエリア（ＢＳ１１０が管理するエリア）内にいる場合は、常にＢＳ１１０と通信チャネルを維持し、無線ＬＡＮシステム１９４のエリア内に移った場合は、ＢＳ１１０とのチャネルは維持したまま、状況に応じさらにＡＰ１２０とのチャネルも開通する。
【００３１】
図２は、ルータ１００、セルラシステム１９３の基地局装置１１０、および無線ＬＡＮシステム１９４のアクセスポイント装置１２０の構成を詳しく示すブロック図である。
【００３２】
この図において、セルラシステムの基地局装置１１０は、データチャネル生成部１１１、変調部１１２、送信無線（ＲＦ）部１１３、およびアンテナ１１４を有する。また、無線ＬＡＮシステムのアクセスポイント装置１２０は、データチャネル生成部１２１、変調部１２２、加算部１２３、送信無線部１２４、アンテナ１２５、チャネル容量算出部１２６、制御チャネル生成部１２７、変調部１２８、受信無線部１２９、復調部１３０、およびデータチャネル送信制御部１３１を有する。
【００３３】
インターネット１９２を介し、サーバ１９１から送信されてきた基本データおよび補完データからなる映像情報は、ルータ１００において、基地局装置１１０およびアクセスポイント装置１２０にそれぞれ振り分けられる。具体的には、基本データは、基地局装置１１０内のデータチャネル生成部１１１に送信され、一方、補完データは、アクセスポイント装置１２０内のデータチャネル生成部１２１に送信される。
【００３４】
セルラシステム１９３では、データチャネル生成部１１１から出力された基本データが、変調部１１２および送信無線部１１３において所定の処理を施され、アンテナ１１４を介して移動局装置１５０に送信される。一方、無線ＬＡＮシステム１９４では、移動局装置１５０からデータチャネル送信制御部１３１を介してデータの送信要求があった場合（後述）、変調部１２２および送信無線部１２４において所定の処理が施され、アンテナ１２５を介して補完データが移動局装置１５０に送信される。
【００３５】
また、アクセスポイント装置１２０と移動局装置１５０間に開かれている制御チャネルを使って、すなわち、チャネル容量算出部１２６、制御チャネル生成部１２７、および変調部１２８を介して生成された信号を加算部１２３において、上記の映像情報を含む送信信号に加算し、送信無線部１２４およびアンテナ１２５を介して送信することにより、無線ＬＡＮシステム１９４のチャネル容量を移動局装置１５０に通知する。
【００３６】
図３は、移動局装置１５０の内部構成を示すブロック図である。
【００３７】
移動局装置１５０は、アンテナ１５１、受信無線（ＲＦ）部１５２、セルラ受信部１５３、データ取得部１５４、無線ＬＡＮ受信部（データチャネル用）１５５、データ取得部１５６、データ合成部１５７、無線ＬＡＮ受信部（制御チャネル用）１５８、チャネル容量検出部１５９、無線ＬＡＮ接続要請信号生成部１６０、送信無線（ＲＦ）部１６１、および表示部１６２を有する。
【００３８】
アンテナ１５１を介し受信された信号は、受信無線部１５２においてダウンコンバート等の所定の受信無線処理を施され、セルラ受信部１５３、無線ＬＡＮ受信部（データチャネル用）１５５、および無線ＬＡＮ受信部（制御チャネル用）１５８に出力される。
【００３９】
セルラ受信部１５３では、移動局装置１５０がどのエリアにいるかに関わらず、常に基本データを受信し続ける。また、移動局装置１５０が、無線ＬＡＮシステム１９４のエリア内に移動したときには、無線ＬＡＮシステムの制御チャネルをアンテナ１５１、受信無線部１５２、無線ＬＡＮ受信部（制御チャネル用）１５８を介して受信し、チャネル容量検出部１５９において無線ＬＡＮシステムのチャネル容量に関する情報を検出する。無線ＬＡＮの容量に余裕があるときには、無線ＬＡＮシステムに接続要請を行うために、無線ＬＡＮ接続要請信号生成部１６０で、無線ＬＡＮのチャネル割り当て要求を行う信号を生成し、送信無線部１６１およびアンテナ１５１を介して無線ＬＡＮシステムのアクセスポイント装置１２０に送信する。
【００４０】
アクセスポイント装置１２０では、移動局１５０が無線ＬＡＮシステムのエリア内に移動してきた場合、チャネル容量に余裕があるときだけ移動局１５０に対し、上記の補完データを送信する。
【００４１】
移動局装置１５０は、セルラ受信部１５３およびデータ取得部１５４を介してセルラシステムから取得した基本データと、無線ＬＡＮ受信部（データチャネル用）１５５およびデータ取得部１５６を介して無線ＬＡＮシステムから所得した補完データを、データ合成部１５７で合成し、映像データを得て、表示部１６２で表示する。
【００４２】
上記の構成により、無線ＬＡＮエリアの端でハンドオーバ処理を行わなくなるので、ハンドオーバによるデータ伝送の遅延は生じない。また、無線ＬＡＮのエリアの外に移動したときも、セルラシステムの接続をそのまま続けているので、データの配信が途切れることは起こらなくなる。
【００４３】
また、移動局は、ハンドオーバ処理を行わなくても、一定レベル以上の品質の映像は常に受信することが出来るとともに、無線ＬＡＮエリアに到達したときに無線ＬＡＮのキャパシティに余裕のあるときだけ、精度の高い映像を受信することが可能となる。
【００４４】
図４は、上記の構成を有する無線送信システムが奏する効果についてさらに具体的に説明した図である。
【００４５】
上記の無線送信システム内の通信端末装置は、セルラシステム１９３のエリア（無線ＬＡＮシステム１９４のエリアを除く）内では基本データのみを受信するので、例えば、表示部１６２の画面上には図４（ａ）に示すような解像度の低い画像が表示される。しかし、無線ＬＡＮシステム１９４のエリア内に入り、かつ、無線ＬＡＮシステム１９４のチャネル容量に余裕があるときは、基本データに加え補完データも受信されるので、両データを合成することにより、画面上には図４（ｂ）に示すような解像度の高い画像が表示される。
【００４６】
上記動作により、移動局は常に最低でも解像度の低いデータを受信しつづけることが可能となるので、無線ＬＡＮエリアに移動したときに例え無線ＬＡＮにハンドオーバできなくても、映像が途切れることはない。
【００４７】
また、無線ＬＡＮエリアに到達したときには、無線ＬＡＮのキャパシティに余裕があるときだけ自動的に無線ＬＡＮに接続するので、移動局を使用しているユーザは、自らが無線ＬＡＮエリアに到達したことを意識することなく、シームレスにサービスの提供を受けることが可能になる。
【００４８】
上記の映像データとしては、例えば、ピラミッド符号化のような階層符号化を施した映像データの場合もあるし、また、ＭＰＥＧ（Ｍｏｖｉｎｇ　Ｐｉｃｔｕｒｅ　Ｅｘｐｅｒｔｓ　Ｇｒｏｕｐ）方式で圧縮されたデータ、すなわち、動画データの場合もある。ＭＰＥＧデータの場合は、１つの送信フレームだけで１つの画像情報を形成するＩフレームが上記の基本データになり、前後のＩフレームの差分情報であるＰフレーム、Ｂフレームが補完データとなる。このとき、セルラシステムの広いエリアでは、フレームレートの低い（こま送りに見える）動画を常に受信可能になり、一方、無線ＬＡＮシステムの狭いエリア内では、フレームレートの高い滑らかな動画を受信可能になる。
【００４９】
また、ルータ１００におけるさらに具体的なデータの振り分け手段として、あらかじめ定められたＴＣＰまたはＵＤＰのポート番号を使用しても良い。ＴＣＰ／ＩＰプロトコルでは、アプリケーションまたは上位のプロトコルに対しデータを伝送する際、ポート番号（アドレス）を指定して送信する。本実施の形態においては、サーバと移動局間でそれぞれポートを取り決めて送信する。すなわち、無線ＬＡＮシステムから送信されるデータとセルラシステムから送信されるデータに対して別々のポートを割り当て、２つのポートを使用することにより送信を行う。そうすれば、ルータにおいて、ポート番号を検出することにより、容易に無線ＬＡＮシステムとセルラシステムへデータを振り分けることが可能となる。
【００５０】
このように、本実施の形態によれば、移動局が無線ＬＡＮエリアの端付近に位置してもハンドオーバ処理が頻発しないようにし、また、移動局がエリアの端を通過する場合にもデータ伝送に遅延が生じないようにし、さらに、無線ＬＡＮのエリア外に出た瞬間に受信映像の配信が途切れてしまうことを防止することにより、ユーザが通信をシームレスに行うことができる。
【００５１】
なお、ここでは、映像情報をサーバ１９１から送信する場合を例にとって説明したが、これに限定されず、この映像情報は、ブロードキャスト情報または他の形態の情報であっても良い。
【００５２】
また、ここでは、チャネル容量算出部１２６において無線ＬＡＮシステム１９４のチャネル容量が不足していることが判明した場合、移動局装置１５０は、チャネル容量検出部１５９を介してこの事実を認識し、無線ＬＡＮシステム１９４からのデータ受信の停止を決定し、この旨をアクセスポイント装置１２０に通知する場合を例にとって説明したが、チャネル容量算出部１２６において無線ＬＡＮシステム１９４のチャネル容量が不足していることが判明した場合、アクセスポイント装置１２０自身が移動局装置１５０へのデータ送信の停止を決定し、チャネル容量算出部１２６が直接、データチャネル生成部１２１に生成停止の制御信号を出力しても良い。
【００５３】
（実施の形態２）
図５は、本発明の実施の形態２に係る移動局装置の構成を示すブロック図である。なお、この移動局装置は、図３に示した移動局装置と同様の基本的構成を有しており、同一の構成要素には同一の符号を付し、その説明を省略する。
【００５４】
図５に示す移動局装置の特徴は、誤り判定部２５１およびＡＣＫ／ＮＡＣＫ信号生成部２５２を有し、受信データに誤りがあった場合に送信側に再送要求をすることである。
【００５５】
誤り判定部２５１は、データ取得部１５４から出力されたデータの誤りを判定し、判定結果をＡＣＫ／ＮＡＣＫ信号生成部２５２に出力する。ＡＣＫ／ＮＡＣＫ信号生成部２５２は、この誤り判定結果に基づいてＡＣＫ信号またはＮＡＣＫ信号を生成し、送信無線部１６１およびアンテナ１５１を介して、この信号を無線ＬＡＮシステムのアクセスポイント装置１２０ａに送信する。
【００５６】
図６は、図５に示した移動局装置の通信相手である、ルータ１００、基地局装置１１０、およびアクセスポイント装置１２０ａの構成を詳しく示すブロック図である。なお、これらの装置は、図２に示した装置と同様の基本的構成を有しており、同一の構成要素には同一の符号を付し、その説明を省略する。
【００５７】
図５に示した移動局装置から送信されたＡＣＫ／ＮＡＣＫ信号は、アンテナ１２５、受信無線部１２９、および復調部１３０を介して受信され、データチャネル送信制御部１３１ａにおいて、この信号に基づいてデータの再送制御が行われる。具体的には、ルータ１００から送信されてきたデータは、バッファ２０１に格納され、移動局装置から再送要求があった場合は、データチャネル生成部１２１に出力され、変調部１２２、加算部１２３、送信無線部１２４、およびアンテナ１２５を介して送信される。
【００５８】
これにより、画像データを移動局に送信する場合に、セルラシステムからは再送情報を含まないリアルタイムの映像を流しつづける一方、無線ＬＡＮシステムからは、移動局からの再送要求に応じて、誤ったデータの再送を行う。移動局は、どのエリアにいるかに関わらず、最低限、再送なしの品質の画像データを取得することが可能になる。
【００５９】
図７は、上記の構成を有する無線送信システムの奏する効果について、さらに具体的に説明した図である。
【００６０】
図７（ａ）は、セルラシステムから送信される映像を示したものである。データブロックＢ１は受信誤りとなったため、画像が一部欠落していることを示している。一方、図７（ｂ）は、無線ＬＡＮシステムから送信される映像データを示したものである。再送データのみ送信されるので、データブロックＢ２のみが存在する。図７（ｃ）は、両システムから送信されてきたデータを合成した映像を示したものである。移動局装置は、無線ＬＡＮシステム内において、チャネルを開設できた場合には、このような高品質の画像が表示される。
【００６１】
このように、本実施の形態によれば、移動局は、ハンドオーバ処理を行わなくても、最低限、再送なし品質での映像を常に受信することができ、無線ＬＡＮエリアに到達したときには、さらに品質のよい映像を楽しむことができる。
【００６２】
（実施の形態３）
本発明の実施の形態３に係る無線送信システムは、図１に示した無線送信システムと同様の構成を有しているので、ここでは、ルータの構成を示すブロック図のみを図８に示す。
【００６３】
ルータ１００ａは、振り分け部３０１、振り分け比率算出部３０２、無線ＬＡＮ伝送可能速度情報取得部３０３、およびセルラ伝送可能速度情報取得部３０４を有する。
【００６４】
振り分け部３０１は、インターネット１９２を介してサーバ１９１から送信されたデータを受信し、振り分け比率算出部３０２から出力される振り分け比率に基づいて、サーバ１９１から送られてくるデータを各システムに振り分けて出力する。振り分け比率算出部３０２は、無線ＬＡＮ伝送可能速度情報取得部３０３を介し取得された無線ＬＡＮシステムの伝送可能なデータレート、および、セルラ伝送可能速度情報取得部３０４を介し取得されたセルラシステムの伝送可能なデータレートに基づいて振り分け比率を決定し、振り分け部３０１に出力する。
【００６５】
これにより、データの振り分けに際し、セルラシステムと無線ＬＡＮシステムのそれぞれで送信可能な情報レートを検出し、情報レートの比率に応じてそれぞれのシステムから送信するデータのレートを決定する。
【００６６】
図９は、このデータの振り分けの一例を示した表である。例えば、サーバ１９１から３０Ｍｂｐｓのデータが送信されてきた場合に、無線ＬＡＮシステムから通知された伝送可能速度は１００Ｍｂｐｓ、セルラシステムから通知された伝送可能速度は５０Ｍｂｐｓとすると、この場合、伝送可能速度の比率は、２：１となる。よって、ルータ１００ａにおいて振り分けられる伝送速度は、それぞれ２０Ｍｂｐｓ、１０Ｍｂｐｓとなる。
【００６７】
このように、本実施の形態によれば、２つの送信系統のデータレートを調整するため、一方の送信系統においてデータが停滞することを回避することができる。これは、リアルタイムデータの送信を行う際に、２つの送信系統のいずれか一方のデータのみが早く到着し、他方のデータが遅延した場合に、データの受信処理を行うことができないために、いつまでもバッファの中身をクリアできないといった問題も防止することができる。
【００６８】
【発明の効果】
以上説明したように、本発明によれば、移動局が無線ＬＡＮエリアの端付近に位置してもハンドオーバ処理が頻発しないようにし、また、移動局がエリアの端を通過する場合にもデータ伝送に遅延が生じないようにし、さらに、無線ＬＡＮのエリア外に出た瞬間に受信映像の配信が途切れてしまうことを防止することにより、ユーザが通信をシームレスに行うことができる。
【図面の簡単な説明】
【図１】本発明の実施の形態１に係る無線送信システムの概要を示す図
【図２】本発明の実施の形態１に係るルータ、基地局装置、およびアクセスポイント装置の構成を詳しく示すブロック図
【図３】本発明の実施の形態１に係る移動局装置の内部構成を示すブロック図
【図４】本発明の実施の形態１に係る無線送信システムが奏する効果について具体的に説明した図
【図５】本発明の実施の形態２に係る移動局装置の構成を示すブロック図
【図６】本発明の実施の形態２に係るルータ、基地局装置、およびアクセスポイント装置の構成を詳しく示すブロック図
【図７】本発明の実施の形態２に係る無線送信システムが奏する効果について具体的に説明した図
【図８】本発明の実施の形態３に係るルータの構成を示すブロック図
【図９】本発明の実施の形態３に係るルータにおけるデータ振り分けの一例を示した表
【符号の説明】
１００　ルータ
１１１、１２１　データチャネル生成部
１１０　セルラ基地局装置
１１３、１２４、１６１　送信無線部
１２０　無線ＬＡＮアクセスポイント装置
１２３　加算部
１２６　チャネル容量算出部
１２７　制御チャネル生成部
１３１　データチャネル送信制御部
１５０　移動局装置
１５２　受信無線部
１５３　セルラ受信部
１５５　無線ＬＡＮ受信部（データチャネル用）
１５７　データ合成部
１５８　無線ＬＡＮ受信部（制御チャネル用）
１５９　チャネル容量検出部
１６０　無線ＬＡＮ接続要請信号生成部
１９１　サーバ
１９２　インターネット
１９３　セルラシステム
１９４　無線ＬＡＮシステム
２５１　誤り判定部
３０１　振り分け部
３０２　振り分け比率算出部
３０３　無線ＬＡＮ伝送可能速度情報取得部
３０４　セルラ伝送可能速度情報取得部
【図１】
2004128579.tif 000003
【図２】
2004128579.tif 000004
【図３】
2004128579.tif 000005
【図４】
2004128579.tif 000006
【図５】
2004128579.tif 000007
【図６】
2004128579.tif 000008
【図７】
2004128579.tif 000009
【図８】
2004128579.tif 000010
【図９】
2004128579.tif 000011